(57)【要約】【課題】  本発明は、パネル目地溝に設けられた弾性シール材の保全を確保しながらその表面の塗膜を容易に研削除去することが出来る研磨ホイール及びそれを用いた塗膜除去方法を提供することを可能にすることを目的としている。【解決手段】  回転体５の外周面上に該回転体５の回転中心軸５ａに対して平行で且つ該回転体５の径方向に配置して接着固定された可撓性を有する複数の研磨布紙片６が設けられ、その外形がパネル目地溝２の断面形状に対応する断面形状を有して構成したことを特徴とする。【選択図】      図３
2006026841.tif 000002
【特許請求の範囲】
【請求項１】
パネル目地溝に設けられた弾性シール材の塗膜を除去するための研磨ホイールであって、
回転体と、該回転体の外周面上に該回転体の回転中心軸に対して平行で且つ該回転体の径方向に配置して固定された可撓性を有する複数の研磨布紙片とを有し、
前記研磨布紙片の外形が前記パネル目地溝の断面形状に対応する断面形状を有して構成されたことを特徴とする研磨ホイール。
【請求項２】
パネル目地溝に設けられた弾性シール材の塗膜を除去する方法であって、
請求項１に記載の研磨ホイールを回転工具に装着し、該研磨ホイールに設けられた前記研磨布紙片の先端部をパネル目地溝に設けられた弾性シール材の塗膜面に当接すると共に、該研磨ホイールを回転させることにより前記弾性シール材の塗膜を軽く撫でるようにしなやかに研削除去することを特徴とする塗膜除去方法。
【発明の詳細な説明】
【技術分野】
【０００１】
本発明は、パネル目地溝に設けられた弾性シール材の塗膜を除去するための研磨ホイール及びそれを用いた塗膜除去方法に関するものである。
【背景技術】
【０００２】
塗装された表面を再塗装する場合には古い塗膜を剥離させなければならないが、建物の外壁として構成される隣設するパネルのパネル目地溝には塗膜の硬度よりも軟らかい弾性シール材が設けられており、該弾性シール材の表面の塗膜を弾性シール材を傷めることなく剥がすことは市販された一般の工具では困難であった。
【０００３】
例えば、サンダーやグラインダー等を使用した場合には、塗膜と共に弾性シール材も削り取ってしまい、削った表面がぼろぼろになって、そのまま再塗装すると仕上がりが見苦しい。また粘性のある弾性シール材に回転研削部が引っかかって工具が不用意に自走する可能性があり作業時に注意する必要があった。
【０００４】
特開平9-309074号公報（特許文献１）には、内径が異なる管体内周面の研磨を行うためにボス輪の外周面に可撓性を有する多数枚の研磨片を密着植設したものが開示されており、特開2002-120157号公報（特許文献２）には、回転軸部を装着する中芯部材の外周面に多数枚の矩形の研磨布紙片を接着したものが開示されている。
【０００５】
【特許文献１】特開平９−３０９０７４号公報
【特許文献２】特開２００２−１２０１５７号公報
【発明の開示】
【発明が解決しようとする課題】
【０００６】
しかしながら、前述の従来例では、金属面等の硬質材料の塗膜の除去、塗装前の錆除去、溶接部のバリ除去等の用途に用いられることはあっても塗膜の硬度よりも軟らかいパネル目地溝に設けられた弾性シール材の表面に形成された塗膜を除去するために用いられることはなかった。
【０００７】
本発明は前記課題を解決するものであり、その目的とするところは、パネル目地溝に設けられた弾性シール材の保全を確保しながらその表面の塗膜を容易に研削除去することが出来る研磨ホイール及びそれを用いた塗膜除去方法を提供せんとするものである。
【課題を解決するための手段】
【０００８】
前記目的を達成するための本発明に係る研磨ホイールは、パネル目地溝に設けられた弾性シール材の塗膜を除去するための研磨ホイールであって、回転体と、該回転体の外周面上に該回転体の回転中心軸に対して平行で且つ該回転体の径方向に配置して固定された可撓性を有する複数の研磨布紙片とを有し、前記研磨布紙片の外形が前記パネル目地溝の断面形状に対応する断面形状を有して構成されたことを特徴とする。
【０００９】
また、本発明に係る塗膜除去方法は、パネル目地溝に設けられた弾性シール材の塗膜を除去する方法であって、前記研磨ホイールを回転工具に装着し、該研磨ホイールに設けられた前記研磨布紙片の先端部をパネル目地溝に設けられた弾性シール材の塗膜面に当接すると共に、該研磨ホイールを回転させることにより前記弾性シール材の塗膜を軽く撫でるようにしなやかに研削除去することを特徴とする。
【発明の効果】
【００１０】
本発明に係る研磨ホイールによれば、研磨布紙片の外形がパネル目地溝の断面形状に対応する断面形状を有するため弾性シール材の表面形状に馴染み易く、該弾性シール材の表面に形成された塗膜にムラなく均一に接触することが出来、塗膜を均一に研削除去することが出来る。
【００１１】
また、本発明に係る塗膜除去方法によれば、弾性シール材の塗膜を軽く撫でるようにしなやかに研削除去することにより弾性シール材を傷めることなく塗膜を除去することが出来る。また研磨布紙片が弾性シール材に引っかかることなく塗膜除去が滑らかに出来る。
【発明を実施するための最良の形態】
【００１２】
図により本発明に係る研磨ホイール及びそれを用いた塗膜除去方法の一実施形態を具体的に説明する。図１（ａ）〜（ｃ）は本発明に係る研磨ホイールの構成を示す正面図、側面図及び側面断面図、図２（ａ）〜（ｃ）及び図３（ａ）〜（ｃ）は本発明に係る研磨ホイールの他の構成を示す正面図、側面図及び側面断面図、図４（ａ），（ｂ）は本発明に係る研磨ホイールを用いてパネル目地溝に設けられた弾性シール材の塗膜を除去する様子を示す側面断面図及び正面断面図である。
【００１３】
図１〜図４において、４は隣設するＡＬＣ（軽量気泡コンクリート）パネル１のパネル目地溝２に設けられた弾性シール材３の塗膜を除去するための研磨ホイールであり、回転体５の外周面上に該回転体５の回転中心軸５ａに対して平行で且つ該回転体５の径方向に配置した可撓性を有する複数の研磨布紙片６が接着剤により固定されている。
【００１４】
研磨布紙片６は、その外形がパネル目地溝２の断面形状に対応する断面形状を有するサンドペーパー等により構成することが出来る。尚、研磨布紙片６は撓るため該研磨布紙片６の断面形状はパネル目地溝２の断面形状よりも多少大きめであっても良い。図中、７はバックアップ材、８は接着層である。
【００１５】
図１及び図４に示す研磨布紙片６の根元部６ａは回転体５の外周面５ｃの幅と略等しい幅を有して構成したもので根元部６ａから先端部６ｂに至る端部傾斜辺６ｃの傾斜角度が緩やかに形成され、パネル目地溝２の側面２ａの傾斜角度が緩やかで目地幅が広いパネル目地溝２に対応したものである。
【００１６】
また図２に示す研磨布紙片６の根元部６ａは回転体５の外周面５ｃの幅よりも狭い幅を有して構成したもので根元部６ａから先端部６ｂに至る端部傾斜辺６ｃの傾斜角度が図１と比較して急峻に形成され、図示しないが、パネル目地溝２の側面２ａの傾斜角度も図３と比較して急峻で目地幅が狭いパネル目地溝２に対応したものである。
【００１７】
図１及び図２に示す回転体５は図示しない回転工具に締結されるそのフランジ５ｂが外周面５ｃの略中心位置に配置された構成であるが、図３に示す回転体５はフランジ５ｂが外周面５ｃの一端部に配置された構成である。他の構成は図１に示して前述した研磨ホイール４と同様に構成され、同様な効果を得ることが出来るものである。
【００１８】
このように構成した研磨ホイール４を用いてパネル目地溝２に設けられた弾性シール材３の塗膜を除去する場合には、先ず、研磨ホイール４を図示しない回転工具に装着し、図４（ａ），（ｂ）に示すように、研磨ホイール４に設けられた研磨布紙片６の先端部６ｂをパネル目地溝２に設けられた弾性シール材３の塗膜面に当接すると共に研磨ホイール４を回転させ、図４（ｂ）に示すように、ａ方向に回転する研磨ホイール４をパネル目地溝２に沿ってｂ方向に移動することにより弾性シール材３の塗膜を軽く撫でるようにしなやかに研削除去することが出来る。
【００１９】
上記構成によれば、研磨布紙片６の外形がパネル目地溝２の断面形状に対応する断面形状を有するため弾性シール材３の表面形状に馴染み易く、該弾性シール材３の表面に形成された塗膜にムラなく均一に接触することが出来、塗膜を均一に研削除去することが出来る。
【００２０】
また、弾性シール材３の塗膜を軽く撫でるようにしなやかに研削除去することにより弾性シール材３を傷めることなく塗膜を除去することが出来る。また研磨布紙片６が弾性シール材３に引っかかることなく塗膜除去が滑らかに出来る。
【００２１】
尚、前記各実施形態ではパネルの厚さが大きいＡＬＣパネルの目地溝２に対応した研磨ホイール４の一例について説明したが、他のパネルとしてサイディングパネルのようにパネルの厚さが小さく、目地溝２の幅や深さが小さいパネルであっても研磨布紙片６の断面形状をその目地溝２の断面形状に対応した外形とすることで弾性シール材３の塗膜の除去が可能で前述したと同様の効果が得られるものである。
【産業上の利用可能性】
【００２２】
本発明の活用例として、既存住宅の外壁パネル目地溝に設けられた弾性シール材表面の塗膜を除去する際の研磨ホイール及びそれを用いた塗膜除去方法として利用可能である。
【図面の簡単な説明】
【００２３】
【図１】（ａ）〜（ｃ）は本発明に係る研磨ホイールの構成を示す正面図、側面図及び側面断面図である。
【図２】（ａ）〜（ｃ）は本発明に係る研磨ホイールの他の構成を示す正面図、側面図及び側面断面図である。
【図３】（ａ）〜（ｃ）は本発明に係る研磨ホイールの他の構成を示す正面図、側面図及び側面断面図である。
【図４】（ａ），（ｂ）は本発明に係る研磨ホイールを用いてパネル目地溝に設けられた弾性シール材の塗膜を除去する様子を示す側面断面図及び正面断面図である。
【符号の説明】
【００２４】
１…ＡＬＣパネル
２…パネル目地溝
２ａ…側面
３…弾性シール材
４…研磨ホイール
５…回転体
５ａ…回転中心軸
５ｂ…フランジ
５ｃ…外周面
６…研磨布紙片
６ａ…根元部
６ｂ…先端部
６ｃ…端部傾斜辺
７…バックアップ材
８…接着層 
【図１】
2006026841.tif 000003
【図２】
2006026841.tif 000004
【図３】
2006026841.tif 000005
【図４】
2006026841.tif 000006